(57)【特許請求の範囲】
【請求項１】
（ａ）帳票のイメージデータを取得する画像入力部、及び、前記帳票に通番を印字する印字部を備える画像入力装置と、
（ｂ）前記帳票のイメージを表示する表示手段を備える上位装置とを有し、
（ｃ）前記画像入力装置は前記通番の印字状態を検出する印字状態検出センサを備え、
（ｄ）前記上位装置は、前記印字状態検出センサが通番の印字状態が不完全であることを検出すると、通番の印字状態が不完全であることが検出された帳票の通番及び通番再印字指令手段を、前記帳票のイメージ、及び、オペレータに当該帳票の前記画像入力装置への再セットを促す表示とともに、表示手段に表示することを特徴とする通番再印字システム。
【請求項２】
前記画像入力装置は、前記上位装置から再印字指令を受信すると、前記帳票に同一の通番を再印字する請求項１に記載の通番再印字システム。
【請求項３】
前記印字部は前記通番を当初の印字位置と異なる印字位置に再印字する請求項１又は２に記載の通番再印字システム。
【請求項４】
（ａ）画像入力装置は、帳票のイメージデータを取得し、前記帳票に通番を印字し、前記通番の印字状態を検出し、
（ｂ）上位装置は、前記帳票のイメージを表示し、前記通番の印字状態が不完全であることが検出されると、通番の印字状態が不完全であることが検出された帳票の通番及び通番再印字指令手段を、前記帳票のイメージ、及び、オペレータに当該帳票の前記画像入力装置への再セットを促す表示とともに、表示することを特徴とする通番再印字方法。
【請求項５】
前記画像入力装置は、前記上位装置から再印字指令を受信すると、前記帳票に同一の通番を再印字する請求項４に記載の通番再印字方法。
【請求項６】
前記通番は当初の印字位置と異なる印字位置に再印字される請求項４又は５に記載の通番再印字方法。
【発明の詳細な説明】
【技術分野】
【０００１】
本発明は、通番再印字システム及び方法に関するものである。
【背景技術】
【０００２】
従来、企業、行政機関、医療機関等の組織においては、帳票等の紙媒体に情報を記録してやり取りすることによって情報伝達を行う仕組み、いわゆる紙ベースの情報伝達システムが一般的に採用されていた。しかし、近年、パーソナルコンピュータ、ネットワーク等の電子情報機器やシステムの普及によって、組織における情報伝達システムは、紙ベースから電子情報ベースへ移行している。この場合、伝票その他の帳票に記録された情報もコンピュータに入力して電子化する必要がある。そこで、帳票に記録された情報を人手によらず自動的にコンピュータに入力するために、帳票に記録された文字情報を読み取るためのＯＣＲ（Ｏｐｔｉｃａｌ  Ｃｈａｒａｃｔｅｒ  Ｒｅａｄｅｒ）機能を備えスキャナ装置を使用するシステムが提案されている（例えば、特許文献１参照。）。
【０００３】
この場合、スキャナ装置は、帳票に光を照射する蛍光灯等から成る光源及び帳票の表面からの反射光を受光するＣＣＤ（Ｃｈａｒｇｅ  Ｃｏｕｐｌｅｄ  Ｄｅｖｉｃｅ：電荷結合素子）等から成るライン型イメージセンサのようなイメージセンサを備える画像読み取り部、ホッパ、搬送経路、スタッカ等を有し、複数枚の帳票を順次読み取ることができるようになっている。ここで、前記ホッパは、複数枚の帳票を積み重ねた状態で収納する。また、前記搬送経路は、ベルト、ローラ等の搬送装置を備えてスキャナ装置内に形成され、前記ホッパ内に積み重ねられた複数枚の帳票が紙送り装置によって一番上又は一番下から順次送り込まれると、送り込まれた帳票を前記画像読み取り部に搬送する。さらに、前記搬送経路は、前記画像読み取り部においてイメージデータが取得された帳票を搬送してスタッカに排出して、積み重ねて保管するようになっている。
【０００４】
そして、取得されたイメージデータ、又は、ＯＣＲ機能によって前記イメージデータから読み取られた文字情報は、スキャナ装置に接続されたパーソナルコンピュータ等の情報処理装置に送信され、該情報処理装置の記憶手段に格納される。
【０００５】
また、前記搬送経路における画像読み取り部の下流側には印字ヘッドが配設され、前記帳票の隅や裏面の余白部分に通番を印字するようになっている。該通番は、それぞれの帳票がどのような順番でスキャナ装置によって読み取り処理が行われたかを確認するためのものであり、一般的には、一枚一枚の帳票に順次一ずつインクリメントされた番号が付与されるようになっている。そして、例えば、情報処理装置の記憶手段に格納された情報に誤りがあったり、抜けがあったりしたことが判明したときには、保管されている帳票の中から、前記通番に基づいて該当する帳票を選び出して情報を再入力することができる。
【特許文献１】特開平７−２２００２４号公報
【発明の開示】
【発明が解決しようとする課題】
【０００６】
しかしながら、前記従来のシステムにおいては、印字ヘッドによる通番の印字が不完全であった場合に、印字が不完全であることを検出することができなかったので、通番に基づいて該当する帳票を選び出すことができなくなってしまう。
【０００７】
例えば、スキャナ装置の累積運転時間が長時間になったり、読み取り処理が行われた帳票の枚数が多くなったりした場合に印字ヘッドにおいてインク切れが発生し、印字掠（かす）れが生じてしまうことがある。また、例えば、印字ヘッドにおいて目詰まりや誤作動が発生し、印字掠れが生じてしまうこともある。そして、印字掠れの程度が甚だしい場合には印字された通番を判読することができなくなってしまう。このように、印字掠れが生じたりして印字が不完全であると、印字された通番を判読することができないので、通番に基づいて該当する帳票を選び出すことができなくなってしまう。
【０００８】
そして、前記従来のシステムにおいて、通番の印字が不完全であることを検出するためには、オペレータが目視によって、一枚一枚の帳票に印字された通番を確認する必要があった。この場合、時間と人手がかかり、帳票の読み取り作業のスループットが低下し、コストが高くなってしまう。
【０００９】
また、印字が不完全であることを検出した場合には、オペレータが不完全に印字された通番を手書きによって修正したり、余白部分に通番を手書きによって再記入する必要があった。通番の手書きによる修正や再記入は、オペレータの技量に依るので、修正されたり再記入された通番を判読することができない場合がある。また、再記入の場合に誤った番号を記入する誤記入が発生してしまうこともある。
【００１０】
本発明は、前記従来のシステムの問題点を解決して、通番の印字状態を検出するセンサを配設することによって、通番の印字状態が不完全であることを自動的に、かつ、確実に検出することができるとともに、通番の再印字を行うことができるようにして、通番の印字状態が不完全な帳票の枚数を低減することができ、正確な通番の再印字を行うことができる通番再印字システム及び方法を提供することを目的とする。
【課題を解決するための手段】
【００１１】
そのために、本発明の通番再印字システムにおいては、帳票のイメージデータを取得する画像入力部、及び、前記帳票に通番を印字する印字部を備える画像入力装置と、前記帳票のイメージを表示する表示手段を備える上位装置とを有し、前記画像入力装置は前記通番の印字状態を検出する印字状態検出センサを備え、前記上位装置は、前記印字状態検出センサが通番の印字状態が不完全であることを検出すると、通番の印字状態が不完全であることが検出された帳票の通番及び通番再印字指令手段を、前記帳票のイメージ、及び、オペレータに当該帳票の前記画像入力装置への再セットを促す表示とともに、表示手段に表示する。
【００１２】
本発明の他の通番再印字システムにおいては、さらに、前記画像入力装置は、前記上位装置から再印字指令を受信すると、前記帳票に同一の通番を再印字する。
【００１４】
本発明の更に他の通番再印字システムにおいては、さらに、前記印字部は前記通番を当初の印字位置と異なる印字位置に再印字する。
【００１７】
本発明の通番再印字方法においては、画像入力装置は、帳票のイメージデータを取得し、前記帳票に通番を印字し、前記通番の印字状態を検出し、上位装置は、前記帳票のイメージを表示し、前記通番の印字状態が不完全であることが検出されると、通番の印字状態が不完全であることが検出された帳票の通番及び通番再印字指令手段を、前記帳票のイメージ、及び、オペレータに当該帳票の前記画像入力装置への再セットを促す表示とともに、表示する。
【００１８】
本発明の他の通番再印字方法においては、さらに、前記画像入力装置は、前記上位装置から再印字指令を受信すると、前記帳票に同一の通番を再印字する。
【００２０】
本発明の更に他の通番再印字方法においては、さらに、前記通番は当初の印字位置と異なる印字位置に再印字される。
【発明の効果】
【００２３】
本発明によれば、帳票に印字された通番の印字状態を検出するセンサが画像入力装置に配設されているので、通番の印字状態が不完全であることが自動的に、かつ、確実に検出されるとともに、通番の再印字を行うことができ、通番の印字状態が不完全な帳票の枚数を低減することができ、正確な通番の再印字を行うことができる。
【発明を実施するための最良の形態】
【００２４】
以下、本発明の実施の形態について図面を参照しながら詳細に説明する。
【００２５】
図１は本発明の実施の形態における通番再印字システムの構成を示す図である。
【００２６】
図において、１０は通番再印字システムであり、画像入力装置としてのスキャナ装置１１及び上位装置としての制御端末１２を有する。本実施の形態においては、前記スキャナ装置１１が原稿としての帳票１６を読み取るために使用されるものである場合について説明する。なお、前記帳票１６は、企業、行政機関、医療機関等の組織において使用されるものであり、例えば、診療報酬明細書（レセプト）、伝票、保険の申し込み書、集計表等であるが、いかなる種類のものであってもよい。
【００２７】
ここで、前記スキャナ装置１１は、フラットベッドスキャナ、シートフィードスキャナ、ドラムスキャナ等であるが、いかなる種類のスキャナであってもよい。また、前記スキャナ装置１１は、カラー画像の読み取りが可能なカラースキャナであることが望ましいが、モノクロスキャナであってもよい。本実施の形態において、前記スキャナ装置１１は、帳票１６に光を照射する蛍光灯等から成る光源及び帳票１６の表面からの反射光を受光するＣＣＤ等から成るライン型イメージセンサのようなイメージセンサを備え、帳票１６の画像を走査しながら読み取る画像読み取り部、ホッパ、搬送経路、スタッカ等を有し、複数枚の帳票１６を順次読み取ることができるようになっている。
【００２８】
そして、前記ホッパは、複数枚の帳票１６を積み重ねた状態で収納する。また、前記搬送経路は、ベルト、ローラ等の搬送装置を備えてスキャナ装置１１内に形成され、前記ホッパ内に積み重ねられた複数枚の帳票１６が紙送り装置によって一番上又は一番下から順次送り込まれると、送り込まれた帳票１６を前記画像読み取り部に搬送する。さらに、前記搬送経路は、前記画像読み取り部においてイメージデータが取得された帳票１６を搬送してスタッカに排出するようになっている。なお、図において、１３は、スキャナ装置１１によって読み取り処理が行われてスタッカに排出された帳票１６を収納する収納装置であり、複数の収納棚を備える。前記スタッカに排出された帳票１６は、自動仕分け装置等によって自動的に仕分けされて前記収納装置１３に収納されてもよいし、オペレータの手作業によって仕分けされて前記収納装置１３に収納されてもよい。
【００２９】
また、前記搬送経路における画像読み取り部の下流側には印字ヘッドを備える印字部が配設され、前記帳票１６の隅や裏面の余白部分の通番記載部に通番を印字するようになっている。該通番は、それぞれの帳票１６がどのような順番でスキャナ装置１１によって読み取り処理が行われたかを確認するためのものであり、読み取り処理が行われた順番を示す番号である。例えば、一枚一枚の帳票１６に順次一ずつインクリメントされた番号が通番として付与されるようになっている。ここで、前記印字ヘッドは、いかなる種類の印字方式を採用するものであってもよく、例えば、インクジェット方式、電子写真方式、熱転写方式、ワイヤドット方式等の印字方式を採用するものである。
【００３０】
さらに、前記搬送経路における印字ヘッドの下流側には印字状態検出センサ１４が配設されている。該印字状態検出センサ１４は、ＣＣＤ等から成るイメージセンサであり、例えば、前記通番記載部に印字された通番の黒点の数、密度、濃度等を検出することによって、前記通番の印字掠れ、すなわち、前記通番の印字状態を検出する。そして、前記黒点の数、密度、濃度等が所定の閾（しきい）値以下である場合には、印字掠れが発生して印字状態が不完全であると判断する。したがって、前記印字状態検出センサ１４によって前記通番記載部に印字された通番の印字状態が不完全であることを自動的に検出することができる。なお、必要に応じて、前記印字状態検出センサ１４の近傍にも帳票１６に光を照射する蛍光灯等から成る光源を配設し、該光源からの光が帳票１６の通番記載部に反射して前記印字状態検出センサ１４によって受光されるようにしてもよい。
【００３１】
なお、前記スキャナ装置１１は、ＣＰＵ、ＭＰＵ等の演算手段、半導体メモリ、磁気ディスク等の記憶手段、通信するための通信手段等を備える図示されない制御装置を備え、該制御装置によってスキャナ装置１１の動作が制御されるようになっている。また、該スキャナ装置１１は、制御端末１２に通信可能に接続され、該制御端末１２から受信した指令に従って帳票を読み取る。なお、前記制御装置は、ＯＣＲ機能を備え、取得した帳票１６のイメージデータに含まれる文字を認識するものであってもよい。また、前記制御端末１２がＯＣＲ機能やファイリング機能を備え、前記スキャナ装置１１から帳票１６のイメージデータを受信し、帳票１６のイメージデータに含まれる文字を認識するものであってもよい。さらに、前記制御装置は、ファイリング機能を備え、取得した帳票１６のイメージデータをファイルとして記憶手段に格納するものであってもよい。
【００３２】
また、前記制御端末１２は、ＣＰＵ、ＭＰＵ等の演算手段、磁気ディスク、半導体メモリ等の記憶手段、キーボード、マウス、押しボタン、タッチパネル等の入力手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段、通信インターフェイス等を備えるコンピュータであり、オペレータ１５によって操作される。なお、前記制御端末１２は、例えば、パーソナルコンピュータであるが、サーバ、ワークステーション等いかなる種類のコンピュータであってもよい。ここで、前記制御端末１２は、ＬＡＮ（Ｌｏｃａｌ  Ａｒｅａ  Ｎｅｔｗｏｒｋ）、イントラネット等の通信回線網を介して前記スキャナ装置１１に接続され、該スキャナ装置１１の上位装置として機能する。なお、前記制御端末１２は、市販されている汎（はん）用のコンピュータであってもよく、前記スキャナ装置１１に対し専用ソフトインターフェイス（Ｉ／Ｆ）を使用して制御を行うようになっている。そして、前記スキャナ装置１１が読み取った各帳票１６のイメージデータ、該イメージデータに含まれる文字情報等は、制御端末１２の表示手段の画面１７に表示される。これにより、オペレータ１５は、必要に応じて各帳票１６の内容をチェックすることができる。
【００３３】
さらに、前記制御端末１２は、前記印字状態検出センサ１４が通番の印字状態が不完全であることを検出すると警告を出力する。例えば、前記印字状態検出センサ１４が帳票１６の通番記載部に印字された通番の印字状態が不完全であることを検出した場合に、印字掠れが発生した旨の警告が前記画面１７に表示される。なお、前記制御端末１２がスピーカ等の音声発生手段を有している場合には、前記警告を警告音や音声によって出力することもできる。
【００３４】
また、前記制御端末１２は、帳票１６の読み取りを行う旨の指令とともに、前記帳票１６に所定の番号の通番を印字する旨の指令をスキャナ装置１１に送信し、印字ヘッドを作動させて読み取りが行われた帳票１６の通番記載部に通番を印字させる。この場合、前記制御端末１２は、読み取りが行われた一枚一枚の帳票１６に対応して、例えば、順次一ずつインクリメントされた番号を付与すべき通番として決定する。すなわち、ｎ番目の帳票１６に対してｎ番を通番として付与した場合、ｎ＋１番目の帳票に対してｎ＋１番を通番として付与するように決定する。なお、前記制御端末１２は、前記帳票１６のイメージデータ、文字情報等をファイルとして記憶手段に格納することができる。そして、前記制御端末１２は、前記通番と該当する帳票１６のイメージデータ、文字情報等とを対応付けて記憶手段に格納する。これにより、通番に基づいて帳票１６のイメージデータ、文字情報等を検索することができる。
【００３５】
さらに、前記制御端末１２は、オペレータ１５の操作によって、帳票１６の通番記載部に印字された通番の印字状態が不完全である場合に、該当する通番を再度印字する旨の指令、すなわち、再印字指令をスキャナ装置１１に送信することができる。この場合、印字掠れが発生した旨の警告を認知したオペレータ１５は、スキャナ装置１１のスタッカに排出された帳票１６の中から該当する帳票１６を取り出し、該帳票１６をスキャナ装置１１のホッパ又は搬送経路の途中にセットして、印字部において再度通番の印字が行える状態にする。そして、前記オペレータ１５は、前記制御端末１２を操作して、再印字指令をスキャナ装置１１に送信する。
【００３６】
なお、前記通番再印字システム１０は、前記制御端末１２以外に、システム全体の上位装置として機能するサーバ等のホストコンピュータを有していてもよい。この場合、該ホストコンピュータは、前記制御端末１２の上位装置としても機能し、例えば、帳票１６のイメージデータをファイル、文字情報等として記憶手段に格納することができる。
【００３７】
次に、前記構成の通番再印字システム１０の動作について説明する。ここでは、帳票１６の通番記載部に印字された通番に印字掠れが生じて印字状態が不完全である場合の動作について説明する。
【００３８】
図２は本発明の実施の形態における制御端末の表示手段の画面例を示す図、図３は本発明の実施の形態における通番再印字システムの動作を示すフローチャートである。
【００３９】
まず、オペレータ１５がスキャナ装置１１の電源を投入し、複数枚の帳票１６を積み重ねた状態でスキャナ装置１１のホッパ内へセットする。そして、オペレータ１５は、制御端末１２を操作して、帳票１６の読み取りを行う旨の指令を制御端末１２からスキャナ装置１１に送信する。なお、スキャナ装置１１の電源を投入して帳票１６をセットするオペレータ１５と制御端末１２を操作するオペレータ１５とは同一の人物であってもよいし、別の人物であってもよい。
【００４０】
また、前記制御端末１２は、帳票１６の読み取りを行う旨の指令とともに、前記帳票１６に所定の番号の通番を印字する旨の指令をスキャナ装置１１に送信する。この場合、通番は、前記制御端末１２によって、一枚一枚の帳票１６に対応して決定され、前記指令とともにスキャナ装置１１に送信される。また、前記通番は前記制御端末１２の記憶手段に格納される。
【００４１】
そして、スキャナ装置１１は、前記指令を受信すると帳票１６を読み取るための処理、すなわち、帳票読み取り処理を開始する。まず、ホッパ内に積み重ねられた複数枚の帳票１６が、紙送り装置によって一番上又は一番下から順次搬送経路に送り込まれる。そして、該搬送経路に送り込まれた帳票１６が画像読み取り部に到達すると帳票１６の読み取りが行われる。ここで、画像読み取り部のイメージセンサが帳票１６のイメージデータの取得を行い、取得された帳票１６のイメージデータは、後述されるように、前記制御端末１２に返信される。なお、スキャナ装置１１の制御装置がＯＣＲ機能を備える場合には、前記帳票１６の各項目に記載された文字が認識される。すなわち、帳票記載項目の認識が行われ、該帳票記載項目が帳票１６の文字情報として、後述されるように、前記制御端末１２に返信される。
【００４２】
続いて、前記帳票１６は、前記搬送経路における画像読み取り部の下流側に配設された印字ヘッドの位置に搬送される。そして、該印字ヘッドは、前記帳票１６の隅や裏面の余白部分の通番記載部に、前記制御端末１２から受信した通番を印字する。
【００４３】
続いて、前記帳票１６は、前記搬送経路における印字ヘッドの下流側に配設された印字状態検出センサ１４の位置に搬送される。そして、該印字状態検出センサ１４は、前記帳票１６の通番記載部に印字された通番の印字状態を検出する。ここで、前記通番記載部に印字された通番の黒点の数、密度、濃度等が所定の閾値以下である場合には、印字掠れが発生して印字状態が不完全であると判断されるようになっている。ここでは、前記印字状態検出センサ１４によって、前記通番記載部に印字された通番に印字掠れが発生したことが検出されたものとする。この場合、スキャナ装置１１は帳票読み取り処理を中断する。これにより、通番に印字掠れが発生したことが検出された帳票１６よりも後の帳票１６についても、帳票読み取り処理が停止される。
【００４４】
続いて、スキャナ装置１１は、印字掠れが発生した旨の通知を制御端末１２に送信する。そして、該制御端末１２は、印字掠れが発生した旨の通知を受信すると該当する帳票１６の通番を、記憶手段に格納して保存する。また、前記スキャナ装置１１は、該当する帳票１６のイメージデータも制御端末１２に送信する。さらに、前記スキャナ装置１１は、該当する帳票１６の帳票記載項目も制御端末１２に送信する。そして、該制御端末１２は、前記帳票１６のイメージデータ及び帳票記載項目を、通番と対応づけて記憶手段に格納して保存する。
【００４５】
続いて、前記制御端末１２は、図２に示されるように、前記帳票１６のイメージ２３を表示手段の画面１７における帳票表示欄２１に表示する。なお、前記画面１７は、通番の再印字を行わせる操作を行うための通番再印字画面である。この場合、前記画面１７には、前記帳票１６の通番を表示する通番表示欄２２が含まれている。これにより、オペレータ１５は、前記イメージ２３からは把握することのできない通番を、通番表示欄２２を目視することによって把握することができる。また、前記画面１７の上部には、印字掠れが発生した旨の警告が、「以下の帳票で通番の印字掠れが発生しました。」と表示される。これにより、オペレータ１５は、印字掠れが発生したことを把握することができる。さらに、前記警告に続いて、「該当帳票をスキャナ装置にセットし通番再印字ボタンを押下してください。」との操作指示が表示される。
【００４６】
そこで、オペレータ１５は、前記操作指示に従って、手作業によりスキャナ装置１１のスタッカに排出された帳票１６の中から該当する帳票１６を取り出し、該帳票１６をスキャナ装置１１のホッパ内又は搬送経路の途中にセットして、印字部において再度通番の印字が行える状態にする。この場合、前記オペレータ１５は、帳票表示欄２１に表示されているイメージ２３に基づいて、該当する帳票１６を正しく選択することができる。また、オペレータ１５は、前記印字部の状態をチェックする。そして、印字部に不具合が発生している場合には、該不具合を解消するための措置を講じる。例えば、印字部においてインク不足が発生している場合には、インクを補充する。
【００４７】
続いて、前記オペレータ１５は、前記制御端末１２を操作して、再印字指令をスキャナ装置１１に送信する。この場合、図２に示されるように、制御端末１２の表示手段の画面１７に表示された通番再印字指令手段としての通番再印字ボタン２４を押下することによって、再印字指令をスキャナ装置１１に送信する。なお、前記通番再印字ボタン２４は、カーソルやポインタを前記通番再印字ボタン２４に当ててマウスのボタンをクリックすることによって、押下することができる。また、前記表示手段がタッチパネルである場合には、前記通番再印字ボタン２４に手の指で触れることによって、押下することができる。
【００４８】
そして、スキャナ装置１１が再印字指令を受信すると、印字ヘッドによって前記帳票１６に同一の通番の再印字が行われる。なお、再印字の場合、印字ヘッドはあらかじめ設定された位置にまで自動的に移動させられ、通番が前記通番記載部以外の場所に設定された予備記載部に印字されるようになっている。これにより、当初に印字された通番と再度印字された通番とが重なり合うことがない。
【００４９】
次に、フローチャートについて説明する。
ステップＳ１  制御端末１２は、帳票１６の読み取りを行う旨の指令及び所定の番号の通番を印字する旨の指令をスキャナ装置１１に送信する。
ステップＳ２  スキャナ装置１１は、帳票１６のイメージデータの取得、帳票記載項目の認識、及び、通番の印字を行う。
ステップＳ３  スキャナ装置１１は、印字状態検出センサ１４によって、通番に印字掠れが発生したことを検出し、帳票読み取り処理を中断する。
ステップＳ４  スキャナ装置１１は、印字掠れが発生した帳票１６の通番、該当する帳票１６のイメージデータ、及び、該当する帳票１６の帳票記載項目を制御端末１２に送信する。
ステップＳ５  制御端末１２は、帳票１６のイメージ２３を表示手段の画面１７に表示する。
ステップＳ６  オペレータ１５は、手作業によってスキャナ装置１１のスタッカに排出された帳票１６の中から該当する帳票１６を取り出し、スキャナ装置１１にセットする。
ステップＳ７  制御端末１２が再印字指令をスキャナ装置１１に送信すると、通番が予備記載部に印字される。
【００５０】
このように、本実施の形態においては、通番の印字状態を検出する印字状態検出センサ１４がスキャナ装置１１に配設され、通番に印字掠れが発生したことを検出するようになっている。そのため、通番の印字状態が不完全であることを自動的に、かつ、確実に検出することができる。
【００５１】
また、前記印字状態検出センサ１４が通番の印字状態が不完全であることを検出すると、スキャナ装置１１は帳票読み取り処理を中断し、制御端末１２から印字掠れが発生した旨の警告がオペレータ１５に通知されるようになっている。そのため、オペレータ１５は、スタッカに排出された帳票１６の中から該当する帳票１６を取り出してスキャナ装置１１にセットし、通番の再印字を行わせることができる。したがって、通番の印字状態が不完全な帳票１６の枚数を低減することができる。また、オペレータ１５が不完全に印字された通番を手書きによって修正したり、余白部分に通番を手書きによって再記入する必要がないので、正確な通番をきれいに再印字することができ、通番の誤記入や通番が判読不能となることを防止することができる。
【００５２】
なお、本発明は前記実施の形態に限定されるものではなく、本発明の趣旨に基づいて種々変形させることが可能であり、それらを本発明の範囲から排除するものではない。
【図面の簡単な説明】
【００５３】
【図１】本発明の実施の形態における通番再印字システムの構成を示す図である。
【図２】本発明の実施の形態における制御端末の表示手段の画面例を示す図である。
【図３】本発明の実施の形態における通番再印字システムの動作を示すフローチャートである。
【符号の説明】
【００５４】
１０    通番再印字システム
１１    スキャナ装置
１２    制御端末
１４    印字状態検出センサ
１６    帳票
２３    イメージ
２４    通番再印字ボタン
【図１】
0004622239.tif 000002
【図２】
0004622239.tif 000003
【図３】
0004622239.tif 000004